(57)【特許請求の範囲】
【請求項１】
放射性溶液の配管から突設されたサンプリングノズルの上方にボックスを設置し、まずこのボックスの内部に設けた昇降台とともにニードルを降下させてその下端が配管内に挿入された状態でボックスに固定し、次に昇降台を上昇させて真空容器をセットしたうえ、再び昇降台とともに真空容器を降下させてニードルの上端に突き刺し、配管内から放射性溶液を吸引することを特徴とする放射性溶液のサンプリング方法。
【請求項２】
放射性溶液の配管から突設されたサンプリングノズルの上方に設置される扉付きのボックスの内部に、ガイドロッドに沿って昇降できるハンドル付きの昇降台を設け、この昇降台の下半部にニードル保持部を設けるとともに、その上半部に真空容器の保持部を設けたことを特徴とする放射性溶液のサンプリング装置。
【請求項３】
ニードル保持部が昇降台から分離され、ボックスの下部に固定できるものである請求項２記載の放射性溶液のサンプリング装置。
【発明の詳細な説明】
【０００１】
【発明の属する技術分野】
本発明は、配管中を流れる放射性溶液のサンプリング方法および装置に関するものである。
【０００２】
【従来の技術】
例えば核燃料再処理工場においては、ウランやプルトニウム等の放射性物質を含む放射性溶液が配管中を流れており、その濃度監視などの目的で定期的なサンプリングを行なう必要がある。このため、従来は可動型のグローブボックスを配管に設けられているサンプリングノズルの位置まで移動させ、このグローブボックス内部にジャグと呼ばれるサンプリング用の真空容器を入れ、サンプリングノズルに取り付けたステンレスホースの先端をグローブボックス内部で真空容器に刺し込んで、サンプリングを行なっていた。
【０００３】
しかしこのような従来法ではサンプリングのたびに大型のグローブボックスを移動させねばならず、しかもグローブボックス内部での作業が必要となるために作業性が悪いという問題があった。
【０００４】
【発明が解決しようとする課題】
本発明は上記した従来の問題点を解決し、作業性よくしかも安全に配管内の放射性溶液を真空容器内にサンプリングすることができる放射性溶液のサンプリング方法および装置を提供するためになされたものである。
【０００５】
【課題を解決するための手段】
上記の課題を解決するためになされた本発明の放射性溶液のサンプリング方法は、放射性溶液の配管から突設されたサンプリングノズルの上方にボックスを設置し、まずこのボックスの内部に設けた昇降台とともにニードルを降下させてその下端が配管内に挿入された状態でボックスに固定し、次に昇降台を上昇させて真空容器をセットしたうえ、再び昇降台とともに真空容器を降下させてニードルの上端に突き刺し、配管内から放射性溶液を吸引することを特徴とするものである。
【０００６】
また本発明の放射性溶液のサンプリング装置は、放射性溶液の配管から突設されたサンプリングノズルの上方に設置される扉付きのボックスの内部に、ガイドロッドに沿って昇降できるハンドル付きの昇降台を設け、この昇降台の下半部にニードル保持部を設けるとともに、その上半部に真空容器の保持部を設けたことを特徴とするものである。なお、ニードル保持部は昇降台から分離され、ボックスの下部に固定できるものとしておくことが好ましい。
【０００７】
本発明によれば、従来のようなグローブボックスではなく、扉付きのボックスの内部で配管内から放射性溶液をサンプリングすることができるので、作業性に優れる利点がある。また、ボックスの内部でニードルを降下させてニードルの下端をサンプリングノズル内に挿入した状態でニードルを固定し、次にこのボックスの内部でサンプリング用の真空容器を降下させてニードルの上端に突き刺す方法としたので、放射性溶液が外部に洩れる可能性はなく、放射性溶液を安全に真空容器内にサンプリングすることができる。
【０００８】
【発明の実施の形態】
以下に本発明の好ましい実施形態を示す。
図１と図２は本発明のサンプリング装置を示す図である。図１の下部に示された１は内部を放射性溶液が流れる配管であり、２はその上部に突設されたサンプリングノズルである。配管１の内部には、例えばウランやプルトニウム等の放射性物質を含む放射性溶液が流れている。サンプリングノズル２の上端は常時は図示しないキャップにより封鎖されているが、サンプリングを行なう際には予めこのキャップを取り外す。ただしサンプリングノズルにはボール弁３が設けられているので、キャップを取り外しただけでは放射性物質が外部に洩れることはない。
【０００９】
１０はサンプリング装置の本体である円筒状のボックスである。このボックス１０は底板１１を備え、底板１１の中央に形成されためねじ部１２を、キャップが取り外されたサンプリングノズル２の上端にねじ込むことによって、サンプリングノズルの上方に設置される。ボックス１０の上部側面には、図２に示されるように開閉自在な扉１３が設けられている。また底板１１には後記するネジ棒１８の下端を貫通させるための孔が形成されている。
【００１０】
ボックス１０の内部には複数本のガイドロッド１４が固定されており、上部にハンドル１５を備えた昇降台１６が、これらのガイドロッド１４に沿って昇降できるように設けられている。昇降台１６は上蓋を兼ねる平板１７の下面に設けられたもので、平板１７の周囲には環状のパッキン２５が取り付けられて周囲をシールしている。
【００１１】
昇降台１６は、平板１７の下方に複数本のネジ棒１８によってニードル保持部１９を吊り下げたものである。図１ではネジ棒１８の上部に蝶ナット２０が取り付けられているが、後述するようにネジ棒１８の上部の蝶ナット２０を外し、ネジ棒１８の下部に嵌め替えることができるようになっている。ニードル保持部１９はゴムブロック２１を備えており、図１に示すように中空のニードル２２の上部を保持することができる。
【００１２】
このように昇降台１６の下半部にはニードル保持部１９が設けられているが、その上半部には図３に示すような真空容器の保持部２３が設けられている。真空容器の保持部２３は図３Ａに示すように無底円筒の側面を切り欠いたような形状をしており、平板１７の下面に固定されている。図３Ｂに示すように、ジャグと呼ばれるサンプリング用の真空容器２４を保持部２３の内部に容易に装着できるが、装着された真空容器２４は保持部２３の内部で上下方向には動かないようにしておく。
【００１３】以下に図４，５，６を参照しつつ、本発明の放射性溶液のサンプリング方法を説明する。
まず図４の▲１▼に示すように、キャップが取り外されたサンプリングノズル２の上端にボックス１０を固定する。このとき昇降台１６はボックス１０の上端まで引き上げておく。この状態で、昇降台１６のニードル保持部１９に中空のニードル２２の上部を保持させる。その後にサンプリングノズル２のボール弁３を開くが、既にサンプリングノズル２の上端にはボックス１０が固定されているので、外部に放射性物質が漏れることはない。なおニードル２２としては、内径が１mm程度のステンレス管を使用することができる。その上端は鋭利に尖らせておくものとする。
【００１４】
次に図４の▲２▼に示すように、ハンドル１５を押し下げて昇降台１６をボックス１０の下端部まで下降させ、ニードル２２の下端を配管１の内部に入れる。昇降台１６はガイドロッド１４に沿ってまっすぐに下降するので、細いニードル２２も曲がることなくサンプリングノズル２内を下降する。このとき、ネジ棒１８の下部はボックス１０の底板１１に形成された孔を貫通し、底板１１の下面に突出する。そこでネジ棒１８の上部の蝶ナット２０を外し、底板１１の下面に突出したネジ棒１８の下端に嵌める。これによって、昇降台１６のニードル保持部１９はニードル２２とともにボックス１０の底板１１に強固に固定される。
【００１５】
次に図５の▲３▼に示すように、ハンドル１５を掴んで昇降台１６をボックス１０の上部にまで引き上げる。前工程でネジ棒１８の上部の蝶ナット２０は外されているので、ニードル保持部１９を残したまま昇降台１６が上昇する。そこで扉１３を開き、真空容器の保持部２３に図３Ｂに示すように真空容器２４をセットする。真空容器２４は合成樹脂製の容器であり、その底面はニードル２２の上端が容易に貫通できる厚さとしておく。
【００１６】
次に図５の▲４▼に示すように、再び昇降台１６をボックス１０の下部に向けて押し下げると、ボックス１０の底板１１に固定されていたニードル２２の上端が下降してきた真空容器２４の底面を貫通し、真空容器２４の内部に達する。これと同時に配管１内を流れる放射性溶液が、真空容器２４の内部に真空圧を利用して吸引される。
【００１７】
次に図６の▲５▼に示すように、昇降台１６をボックス１０の上部に上昇させ、扉１３を開き、真空容器の保持部２３から真空容器２４を取り出す。なおこの段階ではまだ、ニードル２２はボックス１０の下部に固定されたままである。
【００１８】
そこで図６の▲６▼に示すように再び昇降台１６をボックス１０の下部に向けて押し下げ、ネジ棒１８の上端を平板１７に貫通させる。そしてネジ棒１８の下部から蝶ナット２０を外し、上部に嵌めかえる。これによってニードル保持部１９とボックス１０の底板１１との結合が解除され、ニードル保持部１９は昇降台１６側に固定される。
【００１９】
そして図６の▲７▼に示すように昇降台１６を引き上げると、ニードル保持部１９とともにニードル２２はボックス１０内に上昇し、▲１▼の状態に戻る。その後、サンプリングノズル２のボール弁３を閉じ、ボックス１０をサンプリングノズル２から取り外す。そしてサンプリングノズル２のキャップを嵌めればよい。
【００２０】
このようにして本発明によれば、ボックス１０の内部で放射性溶液を真空容器２４に吸引し、サンプリングすることができる。一連の操作はボックス１０の内部で行なわれるため、外部に放射性物質が漏れることはない。また、真空容器２４の着脱はボックス１０の扉１３を開いて行なえるので、従来のグローブボックス内部における作業に比較して、作業性がよい。
【００２１】
【発明の効果】
以上に説明したように、本発明の放射性溶液のサンプリング方法および装置によれば、作業性よくしかも安全に配管内の放射性溶液を真空容器内にサンプリングすることができる。特に従来のグローブボックス方式に比較して作業性がよく、サンプリングの都度グローブボックスを移動させる必要もない利点がある。
【図面の簡単な説明】
【図１】本発明のサンプリング装置を示す断面図である。
【図２】図１の平面図である。
【図３】真空容器の保持部を示すもので、Ａは斜視図、Ｂは昇降台への取付状態図である。
【図４】本発明のサンプリング方法の工程図である。
【図５】本発明のサンプリング方法の工程図である。
【図６】本発明のサンプリング方法の工程図である。
【符号の説明】
１  放射性溶液が流れる配管、２  サンプリングノズル、３  ボール弁、１０ボックス、１１  底板、１２  めねじ部、１３  扉、１４  ガイドロッド、１５  ハンドル、１６  昇降台、１７  上蓋を兼ねる平板、１８  ネジ棒、１９  ニードル保持部、２０  蝶ナット、２１  ゴムブロック、２２  ニードル、２３
真空容器の保持部、２４  真空容器、２５  パッキン
【図１】
0003540306.tif 000002
【図２】
0003540306.tif 000003
【図３】
0003540306.tif 000004
【図４】
0003540306.tif 000005
【図５】
0003540306.tif 000006
【図６】
0003540306.tif 000007